(57)【特許請求の範囲】
【請求項１】
音声データを再生可能な再生部と、
異なる通信規格で外部再生機器と接続が可能な第１外部接続部および第２外部接続部と、
前記再生部および前記外部再生機器の再生音量調節を行う共通の音量調節操作部と、
接続された前記外部再生機器に応じて、前記音量調節操作部からの出力信号に基づいて、接続先の通信規格に応じた音量制御信号を送信する制御部と、
赤外線通信部とを備え、
前記制御部は、前記音量制御信号により音量調節が適切に行われなかった場合には、前記外部再生機器に対して赤外線信号を送信するように構成されている、電子機器。
【請求項２】
前記第１外部接続部は、ネットワーク接続された対応機器間でデータを共有することが可能な所定のネットワーク規格で前記外部再生機器と接続可能であり、
前記第２外部接続部は、２つの機器間を、音声データ、映像データおよび制御信号を伝送可能な所定のケーブルで接続して機器間の連携動作を行うことが可能な所定のインターフェース規格で前記外部再生機器と接続可能である、請求項１に記載の電子機器。
【請求項３】
前記制御部は、前記第１外部接続部を介してネットワーク接続された第１外部再生機器において音声データを再生させる制御と、前記第２外部接続部を介してネットワーク接続されていない第２外部再生機器において音声データを再生させる制御とを行う、請求項２に記載の電子機器。
【請求項４】
前記制御部は、ネットワーク接続されたデータ保有機器から前記第１外部接続部を介して音声データを取得するとともに、前記第２外部接続部を介して、前記外部再生機器に音声データおよび前記音量制御信号を送信するように構成されている、請求項２または３に記載の電子機器。
【請求項５】
前記制御部は、前記赤外線信号により音量調節が適切に行われなかった場合には、前記外部再生機器に送信される音声データ自体の音量情報を変更するように構成されている、請求項１〜４のいずれか１項に記載の電子機器。
【請求項６】
前記制御部は、音声データが前記再生部により再生されている場合には、音量調節の対象を前記再生部にするように構成されている、請求項１〜５のいずれか１項に記載の電子機器。
【請求項７】
前記制御部は、前記再生部による音声データの再生中に前記外部再生機器の接続操作が行われた場合に、音声データを前記外部再生機器に送信するとともに、音量調節の対象を前記外部再生機器に切り替えるように構成されている、請求項１〜６のいずれか１項に記載の電子機器。
【請求項８】
前記制御部は、前記外部再生機器による音声データの再生が終了した場合には、音量調節の対象を、前記外部再生機器から前記再生部に切り替えるように構成されている、請求項１〜７のいずれか１項に記載の電子機器。
【請求項９】
前記制御部は、複数の前記外部再生機器が接続されている場合に、少なくとも、１つの前記外部再生機器に音声データを送信する操作入力を受け付けて、特定された前記１つの外部再生機器を音量調節の対象とするように構成されている、請求項１〜８のいずれか１項に記載の電子機器。
【請求項１０】
前記第１外部接続部は、所定のネットワーク規格により前記外部再生機器と接続可能であり、
前記第２外部接続部は、前記所定のネットワーク規格以外の接続規格により前記外部再生機器と接続可能である、請求項１に記載の電子機器。
【請求項１１】
前記第２外部接続部は、所定のインターフェース規格で前記外部再生機器と接続可能である、請求項１０に記載の電子機器。
【請求項１２】
前記第２外部接続部は、所定のケーブルで前記外部再生機器と接続し、前記外部再生機器と連携動作を行うことが可能である、請求項１１に記載の電子機器。
【請求項１３】
前記第２外部接続部は、音声データ、映像データおよび制御信号を伝送可能である、請求項１０〜１２のいずれか１項に記載の電子機器。
【発明の詳細な説明】
【技術分野】
【０００１】
この発明は、電子機器に関し、特に、音声データを再生可能な再生部を備えた電子機器に関する。
【背景技術】
【０００２】
従来、音声データを再生可能な内蔵再生部を備えた電子機器が知られている（たとえば、特許文献１および２参照）。
【０００３】
上記特許文献１には、内蔵スピーカおよび内蔵ディスプレイと、無線ネットワークインターフェイス部と、メディアデータの再生を制御するＣＰＵと、各種の入力操作を行うための複数の操作部とを備えた携帯型メディアプレーヤ（電子機器）が開示されている。この携帯型メディアプレーヤは、無線ネットワークインターフェイス部を介してメディアサーバおよび外部再生機器と接続可能に構成されている。上記特許文献１による携帯型メディアプレーヤは、ＣＰＵにより内蔵スピーカおよび内蔵ディスプレイからメディアデータの再生および再生音量制御を行うことが可能であるとともに、メディアサーバに制御信号を送信することによって、メディアサーバを介して外部再生機器にメディアデータの再生や再生音量制御を実行させることが可能なように構成されている。
【０００４】
上記特許文献２には、内蔵スピーカおよび内蔵ディスプレイと、外部再生機器と有線または無線のメディアリンクを介して接続可能なコネクタ部と、メディアデータの再生を制御するＣＰＵと、各種の入力操作を行うための複数の操作部とを備えたメディアプレーヤ（電子機器）が開示されている。このメディアプレーヤは、ＣＰＵにより内蔵スピーカおよび内蔵ディスプレイのメディアデータの再生制御および再生音量制御を行うことが可能であるとともに、コネクタ部（メディアリンク）を介して通信を行うことにより、外部再生機器にメディアデータの再生や再生音量制御を実行させることが可能なように構成されている。
【先行技術文献】
【特許文献】
【０００５】
【特許文献１】特表２００９−５２１１８５号公報
【特許文献２】特表２００６−５２４８７７号公報
【発明の概要】
【発明が解決しようとする課題】
【０００６】
しかしながら、上記特許文献１に記載の電子機器では、外部再生機器の音量調節を行う際には、メディアサーバに制御信号を送信することによって、メディアサーバを介して外部再生機器に音量制御を実行させるので、ユーザは、少なくとも音量調節先を外部再生機器に切り替えるための選択操作を行う必要がある。このため、外部再生機器を用いてメディアデータを再生する場合に外部再生機器の音量を調節する操作が煩雑になるという問題点がある。
【０００７】
また、上記特許文献２に記載のメディアプレーヤ（電子機器）では、コネクタ部（メディアリンク）を介して通信を行うことによって外部再生機器に音量制御を実行させるので、上記特許文献１と同様に、少なくとも音量調節先を外部再生機器に変更するための選択操作を行う必要があると考えられる。このため、外部再生機器を用いてメディアデータを再生する場合に外部再生機器の音量を調節する操作が煩雑になるという問題点がある。
【０００８】
この発明は、上記のような課題を解決するためになされたものであり、この発明の１つの目的は、外部再生機器を用いて音声データを再生する際の音量を調節する操作を簡略化することが可能な電子機器を提供することである。
【課題を解決するための手段および発明の効果】
【０００９】
この発明の第１の局面による電子機器は、音声データを再生可能な再生部と、異なる通信規格で外部再生機器と接続が可能な第１外部接続部および第２外部接続部と、再生部および外部再生機器の再生音量調節を行う共通の音量調節操作部と、接続された外部再生機器に応じて、音量調節操作部からの出力信号に基づいて、接続先の通信規格に応じた音量制御信号を送信する制御部と、赤外線通信部とを備え、制御部は、音量制御信号により音量調節が適切に行われなかった場合には、外部再生機器に対して赤外線信号を送信するように構成されている。
【００１０】
この第１の局面による電子機器では、外部再生機器を用いて音声データを再生する際の音量を調節する操作を簡略化することができる。
【００１１】
上記第１の局面による電子機器において、好ましくは、第１外部接続部は、ネットワーク接続された対応機器間でデータを共有することが可能な所定のネットワーク規格で外部再生機器と接続可能であり、第２外部接続部は、２つの機器間を、音声データ、映像データおよび制御信号を伝送可能な所定のケーブルで接続して機器間の連携動作を行うことが可能な所定のインターフェース規格で外部再生機器と接続可能である。ここで、ネットワーク接続された対応機器間でデータを共有することが可能な所定のネットワーク規格は、たとえば、ＤＬＮＡ（Ｄｉｇｉｔａｌ  Ｌｉｖｉｎｇ  Ｎｅｔｗｏｒｋ  Ａｌｌｉａｎｃｅ）規格であり、２つの機器間を、音声データ、映像データおよび制御信号を伝送可能な所定のケーブルで接続して機器間の連携動作を行うことが可能な所定のインターフェース規格は、たとえば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格である。
上記第１の局面による電子機器において、好ましくは、制御部は、第１外部接続部を介してネットワーク接続された第1外部再生機器において音声データを再生させる制御と、第２外部接続部を介してネットワーク接続されていない第２外部再生機器において音声データを再生させる制御とを行う。
【００１２】
この場合、好ましくは、制御部は、ネットワーク接続されたデータ保有機器から第１外部接続部を介して音声データを取得するとともに、第２外部接続部を介して、外部再生機器に音声データおよび音量制御信号を送信するように構成されている。
【００１４】
上記第１の局面による電子機器において、好ましくは、制御部は、赤外線信号により音量調節が適切に行われなかった場合には、外部再生機器に送信される音声データ自体の音量情報を変更するように構成されている。
【００１５】
上記第１の局面による電子機器において、好ましくは、制御部は、音声データが前記再生部により再生されている場合には、音量調節の対象を前記再生部にするように構成されている。このように構成すれば、音量調節対象が外部再生機器に設定されている場合にも、再生部により音声データの再生を行う際には音量調節の対象が自動的に再生部に切り替わるので、ユーザは、音量調節先の切り替え操作を行うことなく、再生先である電子機器（再生部）自体の音量調節を音量調節操作部により行うことができる。
【００１６】
上記第１の局面による電子機器において、好ましくは、制御部は、再生部による音声データの再生中に外部再生機器の接続操作が行われた場合に、音声データを外部再生機器に送信するとともに、音量調節の対象を外部再生機器に切り替えるように構成されている。このように構成すれば、再生部による音声データの再生中にユーザが外部再生機器に再生先を切り替えようと考えた場合、ユーザは、外部再生機器の接続操作を行うだけで、再生部による音声データの再生から外部再生機器による再生に切り替えることができるとともに、音量調節の対象も再生先（外部再生機器）に応じて切り替えることができる。これにより、ユーザの意図を反映した再生先の切り替えおよび音量調節対象の切り替えを行うことができるので、ユーザにとっての利便性を向上させることができる。
【００１７】
上記第１の局面による電子機器において、好ましくは、制御部は、外部再生機器による音声データの再生が終了した場合には、音量調節の対象を、外部再生機器から再生部に切り替えるように構成されている。このように構成すれば、外部再生機器による音声データの再生中には、音量調節の対象が外部再生機器に自動で設定されるとともに、外部再生機器による音声データの再生が終了した場合には、音量調節の対象が自動で再生部に切り替えられるので、ユーザは、外部再生機器による音声データの再生中には再生先の外部再生機器の音量調節を行うことができるとともに、再生終了後にも切り替え操作を必要とすることなく、そのまま同じ音量調節操作部を用いて操作対象である電子機器の再生部の音量調節を行うことができる。
【００１９】
上記第１の局面による電子機器において、好ましくは、制御部は、複数の外部再生機器が接続されている場合に、少なくとも、１つの外部再生機器に音声データを送信する操作入力を受け付けて、特定された１つの外部再生機器を音量調節の対象とするように構成されている。このように構成すれば、複数の外部再生機器が接続されている場合にも、ユーザは、どの外部再生機器に音声データを再生させるかを選択するだけで、共通の音量調節操作部を用いた音量調節操作を、選択された外部再生機器に対して行うことができる。
【００２０】
上記第１の局面による電子機器において、好ましくは、第１外部接続部は、所定のネットワーク規格により外部再生機器と接続可能であり、第２外部接続部は、所定のネットワーク規格以外の接続規格により外部再生機器と接続可能である。
この場合、好ましくは、第２外部接続部は、所定のインターフェース規格で外部再生機器と接続可能である。
上記第２外部接続部が所定のインターフェース規格で外部再生機器と接続可能な構成において、好ましくは、第２外部接続部は、所定のケーブルで外部再生機器と接続し、外部再生機器と連携動作を行うことが可能である。
上記第２外部接続部がネットワーク以外の接続規格により外部再生機器と接続可能な構成において、好ましくは、第２外部接続部は、音声データ、映像データおよび制御信号を伝送可能である。
【図面の簡単な説明】
【００２１】
【図１】本発明の一実施形態による携帯情報処理装置を用いたホームネットワークの構成を示した図である。
【図２】本発明の一実施形態による携帯情報処理装置の外観を示す斜視図である。
【図３】本発明の一実施形態による携帯情報処理装置の外観を示す斜視図である。
【図４】本発明の一実施形態による携帯情報処理装置の構成を示すブロック図である。
【図５】本発明の一実施形態による携帯情報処理装置の液晶表示部に表示されるコンテンツリスト画面の一例を説明するための図である。
【図６】図５に示したコンテンツリスト画面上における操作を説明するための図である。
【図７】本発明の一実施形態による携帯情報処理装置またはテレビジョン装置によるメディアデータ再生時の再生表示画面を説明するための図である。
【図８】本発明の一実施形態による携帯情報処理装置のＤＭＰモードによるメディアデータの再生状態を説明するための図である。
【図９】本発明の一実施形態による携帯情報処理装置のＤＭＣモードによるメディアデータの再生状態を説明するための図である。
【図１０】本発明の一実施形態による携帯情報処理装置の擬似ＤＭＣモードによるメディアデータの再生状態を説明するための図である。
【図１１】本発明の一実施形態による携帯情報処理装置のミラー再生モードによるメディアデータの再生状態を説明するための図である。
【図１２】本発明の一実施形態による携帯情報処理装置のメディアデータ再生処理を説明するためのフローチャートである。
【図１３】本発明の一実施形態による携帯情報処理装置の音量調節処理を説明するためのフローチャートである。
【図１４】図１３に示した音量調節処理におけるＨＤＭＩ再生音量調節処理（サブルーチン）を説明するためのフローチャートである。
【図１５】図１３に示した音量調節処理におけるＤＭＲ再生音量調節処理（サブルーチン）を説明するためのフローチャートである。
【図１６】本発明の一実施形態による携帯情報処理装置に対してＨＤＭＩ接続された場合の処理を説明するためのフローチャートである。
【図１７】本発明の一実施形態による携帯情報処理装置のＨＤＭＩ接続が解除された場合の処理を説明するためのフローチャートである。
【発明を実施するための形態】
【００２２】
以下、本発明を具体化した実施形態を図面に基づいて説明する。
【００２３】
まず、図１〜図５および図７を参照して、本発明の一実施形態による携帯情報処理装置１の構成について説明する。
【００２４】
図１に示すように、本発明の一実施形態による携帯情報処理装置１は、様々な外部機器と有線ＬＡＮ、無線ＬＡＮまたはそれらの組み合わせからなるホームネットワークで相互接続されている。これらの機器はＤＬＮＡ（Ｄｉｇｉｔａｌ  Ｌｉｖｉｎｇ  Ｎｅｔｗｏｒｋ  Ａｌｌｉａｎｃｅ）に対応している。なお、ＤＬＮＡは、ネットワーク接続された対応機器間でメディアデータを共有することが可能なネットワーク規格であり、これらの対応機器同士でＤＬＮＡ規格に準拠した通信を相互に行うことが可能である。
【００２５】
携帯情報処理装置１は、ホームネットワークを構成するＤＬＮＡ対応機器として、メディアデータを保有するメディア保有機器２、映像や画像などのコンテンツに関するメディアデータを再生表示することが可能なテレビジョン装置３およびインターネットに接続するためのルータ４と相互に接続されている。また、携帯情報処理装置１には、ＤＬＮＡ非対応のテレビジョン装置５がＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル１００により接続されている。なお、ＨＤＭＩは、音声データ、映像データおよび制御信号を伝送可能な所定のケーブル（ＨＤＭＩケーブル）で２つの機器間を接続して機器間の連携動作を行うことが可能なインターフェース規格である。また、テレビジョン装置３およびテレビジョン装置５は、それぞれ、本発明の「外部再生機器」の一例である。
【００２６】
次に、ＤＬＮＡによるホームネットワークにおける各々のＤＬＮＡ対応機器の機能について説明する。メディア保有機器２は、ホームネットワーク内においてメディアデータの供給源としてのデジタルメディアサーバ（以下、ＤＭＳと呼ぶ）として機能する。また、テレビジョン装置３は、ホームネットワーク内において表示部としてのデジタルメディアレンダラ（以下、ＤＭＲと呼ぶ）として機能する。また、携帯情報処理装置１は、ＤＭＳからメディアデータを直接取得して液晶表示部１０に再生表示させるデジタルメディアプレーヤ（ＤＭＰ）として機能するとともに、デジタルメディアサーバ（ＤＭＳ）から取得したメディアデータをデジタルメディアレンダラ（ＤＭＲ）に表示させるデジタルメディアコントローラ（ＤＭＣ）として機能する。ここで、携帯情報処理装置１は、上記した通常のＤＬＮＡ対応機器としてのＤＭＰおよびＤＭＣの機能に加えて、ＨＤＭＩ接続されたＤＬＮＡ非対応のテレビジョン装置５に対しても擬似的にＤＭＣとして機能するように構成されている。すなわち、携帯情報処理装置１は、ＤＭＳからＤＬＮＡ規格に準拠して取得したメディアデータをＨＤＭＩ接続されたＤＬＮＡ非対応のテレビジョン装置５に再生表示させるとともに、携帯情報処理装置１の液晶表示部１０には、ＤＭＣとしての表示をさせることが可能である。
【００２７】
このように、本実施形態による携帯情報処理装置１は、メディアデータ（コンテンツ）の再生先として、携帯情報処理装置１本体（後述する液晶表示部１０およびスピーカ１９（図４参照））と、テレビジョン装置３（ＤＭＲ）と、ＨＤＭＩ接続されたテレビジョン装置５とを選択して再生させることが可能である。本実施形態では、携帯情報処理装置１は、後述する共通の音量調節ボタン２０（図３参照）を用いて、メディアデータの再生先（本体、テレビジョン装置３またはテレビジョン装置５）に応じて、それぞれメディアデータの再生音量の調節を行うことが可能なように構成されている。なお、スピーカ１９は、本発明の「内蔵再生部」の一例であるとともに、音量調節ボタン２０は、本発明の「音量調節操作部」の一例である。
【００２８】
次に、本実施形態による携帯情報処理装置１の構造について説明する。図２および図３に示すように、本実施形態による携帯情報処理装置１は、メディアデータおよび各種情報を表示する液晶表示部（ＬＣＤ）１０と、スピーカ１９とを備えている。また、図４に示すように、携帯情報処理装置１は、音量調節ボタン２０を含むスイッチ部１１と、無線ＬＡＮ接続部１２と、音声ケーブル接続部１３と、ＳＤカード接続部１４と、ＨＤＭＩ接続部１５と、ＵＳＢ接続部１６と、音量制御部１７と、赤外線通信部１８とをさらに備えている。なお、音声ケーブル接続部１３は、本発明の「内蔵再生部」の一例である。また、無線ＬＡＮ接続部１２およびＨＤＭＩ接続部１５は、それぞれ、本発明の「外部再生機器接続部」の一例である。
【００２９】
液晶表示部１０は、図４に示すように、タッチパネル機能を有しており、ユーザが液晶表示部１０に表示された画面上の操作ボタンをタッチ操作することにより、メディアプレーヤなどのアプリケーションに従った操作が可能なように構成されている。メディアプレーヤの実行時には、携帯情報処理装置１がアクセス可能なメディアデータ（コンテンツ）の全てまたは一部をリスト表示するコンテンツリスト画面２００（図５参照）を液晶表示部１０に表示させるとともに、選択されたコンテンツを再生する再生表示画面３００（図７参照）を液晶表示部１０に再生表示させることが可能なように構成されている。
【００３０】
図２に示すように、スイッチ部１１（図４参照）は、筐体１ａの前面（液晶表示部１０側）側に設けられた複数の操作ボタン１１ａと、筐体１ａの背面側（図３参照）に設けられた音量調節ボタン２０とを含んでいる。前面側の複数の操作ボタン１１ａは、携帯情報処理装置１の各モード（リモコンモードやメディアプレーヤモードなど）を切り替えるなどの各種の操作を行うために設けられている。
【００３１】
音量調節ボタン２０は、図３に示すように、音量調節専用のシーソーボタン形式の２つの押圧部２０ａおよび２０ｂを有する機械的な操作部である。押圧部２０ａは、押圧により音量を増加するように構成されており、押圧部２０ｂは、押圧により音量を減少させるように構成されている。音量調節ボタン２０は、ユーザが筐体１ａの把持部１ｂを把持したままの状態で押圧部２０ａまたは２０ｂを押圧することにより音量調節操作を行うことが可能なように、筐体１ａの所定位置に設けられている。この音量調節ボタン２０は、本体（スピーカ１９および音声ケーブル接続部１３）、テレビジョン装置３またはテレビジョン装置５のいずれかによりメディアデータ（コンテンツ）の再生を行う場合の、共通の音量調節操作部として機能するように構成されている。したがって、音量調節ボタン２０は、ユーザが音量調節ボタン２０を押下した場合に、メディアデータの再生先に応じて音量調節を行う対象が切り替えられるように構成されている。この音量調節の詳細な内容については、後述する。なお、本実施形態では、音量調節専用の音量調節ボタン２０は、液晶表示部（ＬＣＤ）１０の表示とは無関係に（表示切替を伴わずに）、単独でユーザによる音量調節操作を受け付けることにより、音量調節可能なように構成されている。
【００３２】
無線ＬＡＮ接続部１２は、図１に示すように、ＤＬＮＡ規格に準拠した通信機能（ＵＰｎＰ、Ｕｎｉｖｅｒｓａｌ Ｐｌｕｇ ａｎｄ Ｐｌａｙ）によって携帯情報処理装置１と、メディア保有機器２、テレビジョン装置３およびルータ４と相互接続し、ホームネットワークを構成するために設けられている。携帯情報処理装置１は、この無線ＬＡＮ接続部１２を介してメディア保有機器２（ＤＭＳ）からのメディアデータの取得や、テレビジョン装置３（ＤＭＲ）に対するメディアデータの送信、および、これらのＤＬＮＡ対応機器に対する制御信号の送信を行うことが可能なように構成されている。
【００３３】
また、図４に示すように、音声ケーブル接続部１３は、イヤホン（図示せず）またはヘッドホン（図示せず）などを接続可能に構成されている。また、ＳＤカード接続部１４は、ＳＤカード５０を挿入可能なカードスロット１４ａと、カードスロット１４ａに挿入されたＳＤカード５０に格納されたメディアデータなどのデータを読み取る読取部１４ｂとを有している。
【００３４】
また、ＨＤＭＩ接続部１５は、ＨＤＭＩケーブル１００（図１参照）を介して携帯情報処理装置１がテレビジョン装置５と接続された場合に、ＤＬＮＡに非対応のテレビジョン装置５に対して映像および音声データを送信可能に構成されている。また、ＨＤＭＩ接続部１５を介してＨＤＭＩのＣＥＣ（Ｃｏｎｓｕｍｅｒ Ｅｌｅｃｔｒｏｎｉｃｓ Ｃｏｎｔｒｏｌ）機能を用いることにより、テレビジョン装置５に対して音量調節を行うための音量調節命令を含む制御信号を送信することが可能である。
【００３５】
また、ＵＳＢ接続部１６は、図示しないＵＳＢケーブルを介してＵＳＢメモリやハードディスクなどの外部記憶装置（図示せず）と接続するために設けられている。音量制御部１７は、音声ケーブル接続部１３とスピーカ１９とに出力する音声信号のゲイン調節（ボリューム調節）を行うことにより、スピーカ１９（音声ケーブル接続部１３）の音量制御を行う機能を有する。赤外線通信部１８は、外部のテレビジョン装置５やオーディオ機器類（図示せず）のリモコンコードに対応した赤外線信号を送信することにより、外部のテレビジョン装置５やオーディオ機器類（図示せず）に対する電源オンオフや音量調節などのリモコン制御を行うことが可能なように構成されている。また、図３に示すように、スピーカ１９は、筐体１ａの背面側の一対の把持部１ｂにそれぞれ設けられている。スピーカ１９は、携帯情報処理装置１によるメディアデータの再生時や各種のシステム音声の再生時に音声出力を行う機能を有する。
【００３６】
また、図４に示すように、携帯情報処理装置１は、ＣＰＵ２１、フラッシュメモリ２２および主メモリ２３を含んでいる。ＣＰＵ２１は、フラッシュメモリ２２に記憶されているプログラムを主メモリ２３に読み出して実行することが可能である。また、フラッシュメモリ２２にはプログラムデータのみならず、液晶表示部１０において再生表示可能なメディアデータなども格納されている。本実施形態では、ＣＰＵ２１は、アクセス可能なメディアデータを随時認識し、ユーザの操作に応じてメディアデータ（コンテンツ）のコンテンツリスト表示を行う制御、ユーザによって選択されたコンテンツのメディアデータの取得およびそのコンテンツの再生表示を液晶表示部１０において行う制御、または他の表示再生機器（ＤＬＮＡ対応のテレビジョン装置３またはＤＬＮＡ非対応のテレビジョン装置５など）にメディアデータ（コンテンツ）の送信および再生表示命令を行う制御などを行うように構成されている。なお、ＣＰＵ２１は、本発明の「制御部」の一例である。
【００３７】
また、ＣＰＵ２１は、携帯情報処理装置１と外部再生機器（テレビジョン装置５）とのＨＤＭＩケーブル１００（図１参照）を介したＨＤＭＩ接続と、そのＨＤＭＩ接続の解除とを検出する機能を有する。そして、ＣＰＵ２１は、内蔵の液晶表示部１０およびスピーカ１９によるメディアデータの再生中にユーザによりＨＤＭＩケーブル１００が接続された場合（テレビジョン装置５とＨＤＭＩ接続された場合）や、ＨＤＭＩ接続が解除された場合には、メディアデータの再生先を自動で切り替えるように構成されている。
【００３８】
次に、図５〜図１１を参照して、本実施形態による携帯情報処理装置１のメディアデータの再生モードについて説明する。
【００３９】
本実施形態による携帯情報処理装置１は、コンテンツリスト表示および再生表示と、外部のテレビジョン装置（ＴＶ装置）３またはテレビジョン装置（ＴＶ装置）５におけるコンテンツ（メディアデータ）の再生表示とを組み合わせて、複数の再生態様（再生モード）をとることが可能である。具体的には、図８〜図１１に示すように、携帯情報処理装置１は、携帯情報処理装置１自体の再生表示機能を用いてメディアデータの再生を行うＤＭＰモード（図８参照）と、ホームネットワークに接続されたＤＬＮＡ対応のテレビジョン装置（ＴＶ装置）３をＤＭＲとして用いるＤＭＣモード（携帯情報処理装置１がＤＭＣとして機能するモード）（図９参照）と、携帯情報処理装置１にＨＤＭＩ接続されたＤＬＮＡ非対応のテレビジョン装置（ＴＶ装置）５を擬似ＤＭＲとして用いる擬似ＤＭＣモード（携帯情報処理装置１が擬似ＤＭＣとして機能するモード）（図１０参照）と、携帯情報処理装置１における再生表示コンテンツと同じコンテンツを携帯情報処理装置１にＨＤＭＩ接続されたＤＬＮＡ非対応のテレビジョン装置５においても再生表示するミラー再生モード（図１１参照）とを主にとることが可能である。
【００４０】
まず、コンテンツリスト表示および再生表示の概要について説明する。図５に示すように、ユーザによりメディアプレーヤが起動されると、液晶表示部１０（図２参照）にコンテンツリスト画面２００が表示される。このコンテンツリスト画面２００には、サムネイル表示（縮小画像表示）された複数のコンテンツ２１０と、メディアの種類（Ｐｈｏｔｏ、Ｖｉｄｅｏ、Ｍｕｓｉｃ）を示すタブ２２０と、格納先選択部２３０と、プレイリスト選択部（Ｐｌａｙ  Ｌｉｓｔ）２４０と、再生先選択部（Ｐｌａｙ  ｔｏ）２５０とが表示されている。コンテンツリスト画面２００では、タブ２２０の切り替えによってタブ２２０に応じた種類のコンテンツがリスト表示される。これらのコンテンツ２１０の選択やタブ２２０などの切り替えは、液晶表示部１０のタッチパネルを用いて、ユーザが対応部分に触れる（タップする）タッチ操作により行われる。
【００４１】
また、このコンテンツリスト画面２００では、格納先選択部２３０に示されるように、「Ｓｅｒｖｅｒ」（メディア保有機器２）に格納されたコンテンツが表示されている。ユーザが格納先選択部２３０を操作することにより、メディア保有機器２以外の携帯情報処理装置１内のメディアデータ（フラッシュメモリ２２に格納されたメディアデータ、ＵＳＢ接続部１６に接続された記憶装置に格納されたメディアデータ、ＳＤカード接続部１４に接続されたＳＤカード５０に格納されたメディアデータなど）をコンテンツリスト画面２００に表示させることが可能である。また、ユーザは、プレイリスト選択部２４０を選択し、コンテンツ２１０を指定することによって、選択した複数のコンテンツを指定した順番で再生させることが可能である。
【００４２】
また、図６に示すように、ユーザが再生先選択部２５０を選択すると、現在接続されている（利用可能な）再生先を表示する再生先選択領域２５１が表示される。すなわち、図６では、ＤＭＲ（テレビジョン装置３）とＨＤＭＩ（テレビジョン装置５）とが利用可能な再生先として表示されている。ユーザは、コンテンツ２１０の再生先を再生先選択領域２５１の「ＤＭＲ」または「ＨＤＭＩ」から選択することによって、そのコンテンツ（メディアデータ）２１０を選択した再生先に表示（再生）させることができる。また、このコンテンツリスト画面２００において、ユーザによりコンテンツ２１０がダブルタップ（２回連続でタッチ操作すること）されると、携帯情報処理装置１本体によるコンテンツ２１０の再生が選択される。このように、コンテンツリスト画面２００からユーザが液晶表示部１０のタッチパネルを用いて各種の操作を行うことにより、上記したそれぞれの再生モードに移行する。以下では、各再生モードについて詳細に説明する。
【００４３】
（ＤＭＰモード）
図８に示すように、ＤＭＰモードは、テレビジョン装置５がＨＤＭＩ接続されていない場合で、かつ、携帯情報処理装置１本体による再生が選択された場合に、携帯情報処理装置１の内蔵の液晶表示部１０およびスピーカ１９を用いてメディアデータの再生を行うモードである。図５に示すように、コンテンツリスト画面２００において、ユーザにより携帯情報処理装置１本体によるコンテンツ２１０の再生が選択されることによって、このＤＭＰモードによる再生が行われる。ＤＭＰモードでは、液晶表示部１０にコンテンツ（メディアデータ）２１０の再生表示画面３００が表示されるとともに、コンテンツ２１０の音声がスピーカ１９（ヘッドホンなどが接続されている場合には、音声ケーブル接続部１３）から再生される。このＤＭＰモードにおいて、音量調節ボタン２０（図３参照）による音量調節対象は、携帯情報処理装置１本体（音量制御部１７）に設定される。なお、テレビジョン装置５がＨＤＭＩ接続されている場合に携帯情報処理装置１本体による再生が選択されると、ミラー再生モードによる再生が行われる。
【００４４】
（ＤＭＣモード）
図９に示すように、ＤＭＣモードは、コンテンツ（メディアデータ）２１０の再生先としてＤＭＲが選択された場合の再生モードである。図６に示すように、コンテンツリスト画面２００上でユーザが再生先選択部（Ｐｌａｙ  ｔｏ）２５０を選択するとともに、コンテンツ２１０の再生先を再生先選択領域２５１の「ＤＭＲ」に指定すること（Ｐｌａｙ  ｔｏ  ＤＭＲ）によって、ＤＭＣモードによる再生が行われる。このＤＭＣモードでは、図９に示すように、携帯情報処理装置１がＤＭＣ（デジタルメディアコントローラ）として機能するとともに、選択されたＤＬＮＡ対応のテレビジョン装置３（ＤＭＲ）にメディアデータが再生される。この場合、選択されたコンテンツ２１０（映像および音声）がテレビジョン装置３に再生されるとともに、ＤＭＣとしての携帯情報処理装置１の液晶表示部１０には、コンテンツリスト画面２００が表示される。このＤＭＣモードでは、音量調節ボタン２０（図３参照）による音量調節対象は、コンテンツ２１０の再生先であるテレビジョン装置３（ＤＭＲ）に設定される。
【００４５】
（擬似ＤＭＣモード）
図１０に示すように、擬似ＤＭＣモードは、コンテンツ（メディアデータ）の再生先として、携帯情報処理装置１にＨＤＭＩケーブル１００を介してＨＤＭＩ接続されたＤＬＮＡ非対応のテレビジョン装置５が選択された場合の再生モードである。図６に示すように、コンテンツリスト画面２００上でユーザが再生先選択部（Ｐｌａｙ  ｔｏ）２５０を選択するとともに、コンテンツ２１０の再生先を再生先選択領域２５１の「ＨＤＭＩ」に指定すること（Ｐｌａｙ  ｔｏ  ＨＤＭＩ）によって、擬似ＤＭＣモードによる再生が行われる。擬似ＤＭＣモードは、ＤＬＮＡ非対応機器（テレビジョン装置５）を用いてコンテンツ２１０の再生を行う場合にも、ＤＬＮＡ対応のテレビジョン装置３を使用する場合（ＤＭＣモード）と同様の表示、再生および操作をユーザに提供するものである。この場合には、図１０に示すように、メディアデータ（映像および音声）がテレビジョン装置５に再生されるとともに、擬似ＤＭＣとしての携帯情報処理装置１の液晶表示部１０には、ＤＭＣモードと同様のコンテンツリスト画面２００が表示される。この擬似ＤＭＣモードにおいて、音量調節ボタン２０（図３参照）による音量調節対象は、メディアデータの再生先であるテレビジョン装置５（ＨＤＭＩ）となる。
【００４６】
なお、本実施形態では、ＤＭＰモード（図８参照）によるコンテンツ２１０の再生中にＨＤＭＩ接続されたことが検出されると、ＨＤＭＩ接続されたことが検出された時点でコンテンツ２１０の再生先がテレビジョン装置５（ＨＤＭＩ）に切り替えられるように構成されている。すなわち、携帯情報処理装置１本体によるＤＭＰモードでの再生中にＨＤＭＩ接続が行われた場合、ユーザは、ＨＤＭＩ接続したテレビジョン装置５によって再生中のコンテンツ２１０を再生（視聴）させたいという意図を有している。このため、ＨＤＭＩ接続された時点で再生先が携帯情報処理装置１本体からテレビジョン装置５（ＨＤＭＩ）に切り替えられることにより、擬似ＤＭＣモード（図１０参照）に移行する。この際にも、ＤＭＰモードから擬似ＤＭＣモードに移行するのに伴い、音量調節ボタン２０による音量調節対象はメディアデータの再生先であるテレビジョン装置５（ＨＤＭＩ）に切り替えられる。一方、本実施形態では、擬似ＤＭＣモード（図１０参照）によるコンテンツ２１０の再生中にＨＤＭＩ接続が解除された場合（ＨＤＭＩケーブル１００が外された場合）には、ＤＭＰモードに移行してコンテンツ２１０の再生先が液晶表示部１０およびスピーカ１９に切り替えられる。したがって、この場合の音量調節ボタン２０（図３参照）による音量調節対象は、コンテンツ２１０の再生先である携帯情報処理装置１本体（音量制御部１７）に戻される。
【００４７】
（ミラー再生モード）
図１１に示すように、ミラー再生モードは、擬似ＤＭＣモードとは異なり、ユーザにより選択されたコンテンツ２１０が携帯情報処理装置１とＤＬＮＡ非対応のテレビジョン装置５との両方に再生されるモードである。携帯情報処理装置１とテレビジョン装置５とがＨＤＭＩ接続されている状態で、かつ、携帯情報処理装置１本体による再生が選択された場合にミラー再生モードに移行する。図５に示すように、コンテンツリスト画面２００において、ユーザにより携帯情報処理装置１本体による再生が選択された際、テレビジョン装置５とがＨＤＭＩ接続されている場合には、コンテンツ２１０（映像および音声）が携帯情報処理装置１とテレビジョン装置５との両方から再生される。このミラー再生モードにおいて、音量調節ボタン２０による音量調節対象は、ユーザによる直接の操作対象である携帯情報処理装置１本体（音量制御部１７）となる。ミラー再生モードでは、携帯情報処理装置１は、自身がコンテンツを再生表示するＤＭＰとして機能しているため、このミラー再生モードは、携帯情報処理装置１とテレビジョン装置５とがＨＤＭＩ接続されている状態におけるＤＭＰモード（図８参照）の一態様ということができる。
【００４８】
なお、携帯情報処理装置１とテレビジョン装置５とがＨＤＭＩ接続されている状態では、擬似ＤＭＣモードによる再生時を除いて、常時ミラー表示が行われる。つまり、コンテンツ２１０（メディアデータ）の非再生時には、携帯情報処理装置１（液晶表示部１０）とテレビジョン装置５とにコンテンツリスト画面２００がミラー表示される。また、コンテンツ２１０（メディアデータ）の非再生時において、音量調節ボタン２０（図３参照）による音量調節対象は、ユーザによる直接の操作対象である携帯情報処理装置１本体（音量制御部１７）となる。
【００４９】
次に、図５〜図１２を参照して、本実施形態による携帯情報処理装置１のメディアデータ（コンテンツ）の再生処理フローについて説明する。以下に説明する処理は、携帯情報処理装置１のＣＰＵ２１によって実行される。また、以下では、説明のため、映像と音声とを含むメディアデータとしてビデオ（Ｖｉｄｅｏ）のコンテンツ２１０を再生する場合について説明する。
【００５０】
図１２に示すように、メディアデータ（コンテンツ２１０）の再生処理は、メディアプレーヤ（アプリケーション）がユーザの操作によって起動されることにより開始される。メディアプレーヤが起動されると、ステップＳ１において、ＣＰＵ２１により、ＨＤＭＩ接続の有無が判断される。ＨＤＭＩ接続部１５を介してテレビジョン装置５がＨＤＭＩ接続されている場合には、ステップＳ２に進む。一方、テレビジョン装置５がＨＤＭＩ接続されていない場合には、ステップＳ１０に移行する。
【００５１】
ステップＳ２において、メディアプレーヤの起動に伴い、コンテンツリスト画面２００（図５参照）が表示される。このステップＳ２では、テレビジョン装置５がＨＤＭＩ接続されているため、携帯情報処理装置１の液晶表示部１０とテレビジョン装置５との両方に、図５に示すコンテンツリスト画面２００がミラー表示される。このとき、音量調節ボタン２０による音量調節対象は、携帯情報処理装置１本体（音量制御部１７）に設定された状態となる。
【００５２】
ステップＳ３では、液晶表示部１０のタッチパネルを用いたユーザによる再生指示がＣＰＵ２１によって受け付けられる。そして、ステップＳ４では、ＨＤＭＩ（テレビジョン装置５）が再生先として選択された（Ｐｌａｙ  ｔｏ  ＨＤＭＩ）か否かが判断される。図６に示すように、コンテンツリスト画面２００上で、ユーザにより、コンテンツ２１０の再生先として再生先選択領域２５１の「ＨＤＭＩ」が選択されることによって再生指示が入力された場合（Ｐｌａｙ  ｔｏ  ＨＤＭＩの場合）には、ステップＳ５に進む。ＨＤＭＩ以外が選択された場合には、ステップＳ６に進む。
【００５３】
ステップＳ５では、ＨＤＭＩ（テレビジョン装置５）が再生先として選択されたことに基づき、擬似ＤＭＣモードによるコンテンツ２１０（メディアデータ）の再生が行われる。図１０に示すように、コンテンツ２１０の映像および音声がテレビジョン装置５により再生されるとともに、擬似ＤＭＣとしての携帯情報処理装置１の液晶表示部１０には、コンテンツリスト画面２００（図５参照）が表示される。また、ＣＰＵ２１により、音量調節ボタン２０による音量調節対象がコンテンツ２１０（メディアデータ）の再生先であるテレビジョン装置（ＴＶ装置）５に設定される。
【００５４】
一方、図１２に示すように、ステップＳ６では、ＤＭＲ（テレビジョン装置３）が再生先として選択された（Ｐｌａｙ  ｔｏ  ＤＭＲ）か否かが判断される。図６に示すように、コンテンツリスト画面２００上で、ユーザにより、コンテンツ２１０の再生先として再生先選択領域２５１の「ＤＭＲ」が選択されることによって再生指示が入力された場合（Ｐｌａｙ  ｔｏ  ＤＭＲの場合）には、ステップＳ７に進む。また、ユーザによりコンテンツ２１０がダブルタップされることによって再生指示が入力された場合（本体再生が選択された場合）には、ステップＳ８に進む。
【００５５】
ステップＳ７では、ＤＭＲ（テレビジョン装置３）が再生先として選択されたことに基づき、ＤＭＣモードによるコンテンツ２１０（メディアデータ）の再生が行われる。図９に示すように、コンテンツ２１０の映像および音声がテレビジョン装置３により再生されるとともに、ＤＭＣとしての携帯情報処理装置１の液晶表示部１０には、コンテンツリスト画面２００（図５参照）が表示される。また、ＣＰＵ２１により、音量調節ボタン２０による音量調節対象がコンテンツ２１０（メディアデータ）の再生先であるテレビジョン装置（ＴＶ装置）３（ＤＭＲ）に設定される。
【００５６】
また、図１２に示すように、ステップＳ８では、携帯情報処理装置１とテレビジョン装置５とがＨＤＭＩ接続された状態で、ユーザによって本体（携帯情報処理装置１）による再生が選択されたことに基づき、携帯情報処理装置１とテレビジョン装置５との両方によるミラー再生モードでの再生が行われる。すなわち、図１１に示すように、コンテンツ２１０の映像および音声が携帯情報処理装置１とテレビジョン装置５との両方に再生される。また、ＣＰＵ２１により、音量調節ボタン２０による音量調節対象が携帯情報処理装置１本体（音量制御部１７）に設定される。
【００５７】
その後、図１２に示すように、ステップＳ９でコンテンツ２１０（メディアデータ）の再生が終了すると、ＣＰＵ２１により、音量調節ボタン２０による音量調節対象が携帯情報処理装置１本体（音量制御部１７）に設定される。したがって、ステップＳ５の擬似ＤＭＣモード（図１０参照）、または、ステップＳ７のＤＭＣモード（図９参照）により再生が行われていた場合には、このステップＳ９で音量調節対象が携帯情報処理装置１本体（音量制御部１７）に戻される。その後、ステップＳ２に戻り、図５に示すコンテンツリスト画面２００がミラー表示されるとともに、ユーザによる次の再生指示などの操作が行われる。
【００５８】
一方、ステップＳ１において、テレビジョン装置５がＨＤＭＩ接続部１５に対してＨＤＭＩ接続されていなかった場合には、ステップＳ１０に移行して、携帯情報処理装置１の液晶表示部（ＬＣＤ）１０にコンテンツリスト画面２００（図５参照）が表示される。このとき、音量調節ボタン２０による音量調節対象は、携帯情報処理装置１本体（音量制御部１７）に設定された状態となる。そして、ステップＳ１１では、ユーザによる液晶表示部１０のタッチパネルを用いた再生指示が、ＣＰＵ２１によって受け付けられる。
【００５９】
ステップＳ１２では、ステップＳ６と同様に、ＤＭＲ（テレビジョン装置３）がコンテンツ２１０の再生先として選択された（Ｐｌａｙ  ｔｏ  ＤＭＲ）か否かが判断される。再生先をＤＭＲとする再生指示が入力された場合（Ｐｌａｙ  ｔｏ  ＤＭＲ）には、ステップＳ１３に進む。一方、再生先を本体とする再生指示が入力された場合には、ステップＳ１４に進む。なお、このステップＳ１２では、テレビジョン装置５がＨＤＭＩ接続されていないため、ユーザが再生先選択部（Ｐｌａｙ  ｔｏ）２５０を選択した場合（図６参照）にも、再生先選択領域２５１に「ＨＤＭＩ」は表示されない。
【００６０】
ステップＳ１３では、ステップＳ７と同様に、ＤＭＲ（テレビジョン装置３）が再生先として選択されたことに基づき、ＤＭＣモードによるコンテンツ２１０（メディアデータ）の再生が行われる。また、ＣＰＵ２１により、音量調節ボタン２０による音量調節対象がコンテンツ２１０（メディアデータ）の再生先であるテレビジョン装置（ＴＶ装置）３（ＤＭＲ）に設定される。
【００６１】
また、ステップＳ１４では、本体（携帯情報処理装置１）による再生が選択されたことに基づき、携帯情報処理装置１によるＤＭＰモード（図８参照）での再生が行われる。この際、コンテンツ２１０が携帯情報処理装置１の液晶表示部（ＬＣＤ）１０に表示される（再生表示画面３００（図７参照）が表示される）とともに、コンテンツ２１０の音声がスピーカ１９（ヘッドホンなどが接続されている場合には、音声ケーブル接続部１３）から再生される。また、ＣＰＵ２１により、音量調節ボタン２０による音量調節対象は、携帯情報処理装置１本体（音量制御部１７）に設定される。
【００６２】
その後、ステップＳ１５でコンテンツ２１０（メディアデータ）の再生が終了すると、音量調節ボタン２０による音量調節対象は、ユーザによる操作対象である携帯情報処理装置１本体（音量制御部１７）に設定される。したがって、ステップＳ１３のＤＭＣモード（図９参照）により再生が行われていた場合には、このステップＳ１５で音量調節ボタン２０による音量調節対象が携帯情報処理装置１本体（音量制御部１７）に戻される。その後、ステップＳ１０に戻り、図５に示すコンテンツリスト画面２００が携帯情報処理装置１の液晶表示部（ＬＣＤ）１０に表示される。このようにして、ユーザの操作入力に基づいた各再生モードでの再生処理が行われる。
【００６３】
次に、図１および図８〜図１５を参照して、音量調節ボタン２０が押下された場合の音量調節処理について説明する。
【００６４】
上記のように、音量調節ボタン２０による音量調節対象は、メディアデータの非再生時（ＨＤＭＩ接続状態におけるミラー表示も含む）では、携帯情報処理装置１本体（音量制御部１７）に設定される。また、携帯情報処理装置１本体によるメディアデータの再生が行われている場合（ＤＭＰモード（図８参照）またはミラー再生モード（図１１参照）の場合）にも、音量調節対象が携帯情報処理装置１本体（音量制御部１７）に設定される。一方、携帯情報処理装置１本体によるメディアデータの再生が行われずに、メディアデータの再生先として外部再生機器（ＤＭＲまたはＨＤＭＩ）が選択された場合（ＤＭＣモード（図９参照）または擬似ＤＭＣモード（図１０参照）の場合）には、音量調節対象がそれぞれ選択された外部再生機器（ＤＭＲまたはＨＤＭＩ）に設定される。音量調節処理は、これらの音量調節対象の設定にしたがって実行される。
【００６５】
図１３に示すように、音量調節処理は、携帯情報処理装置１の音量調節ボタン２０の押圧部２０ａまたは２０ｂが押下されたことがＣＰＵ２１によって検出されることにより開始される。音量調節ボタン２０の押圧部２０ａまたは２０ｂがユーザによって押下されると、ステップＳ２１において、ＣＰＵ２１により、携帯情報処理装置１本体によるメディアデータの再生中か否か（音量調節対象が携帯情報処理装置１本体（音量制御部１７）に設定されているか否か）が判断される。図１２のステップＳ８におけるミラー再生モード、または、ステップＳ１４におけるＤＭＰモードによりメディアデータの再生が実行されている場合には、ステップＳ２２に進む。一方、外部再生機器（ＤＭＲまたはＨＤＭＩ）によりメディアデータの再生が実行されている場合、または、メディアデータの再生が実行されていない場合には、ステップＳ２３に進む。
【００６６】
ステップＳ２２では、音量調節対象が携帯情報処理装置１本体（音量制御部１７）に設定されていることに基づき、ＣＰＵ２１により、押圧部２０ａまたは２０ｂの押圧回数に応じて音量制御部１７のゲイン調節（ボリューム調節）が行われる。これにより、図４に示すように、音量制御部１７からスピーカ１９および音声ケーブル接続部１３に出力される音声信号のゲインが調節されることによって、メディアデータの再生音量が調節される。携帯情報処理装置１本体の音量調節が行われる場合には、以上で音量調節処理が終了する。
【００６７】
一方、ステップＳ２３では、ＨＤＭＩ接続されたテレビジョン装置５によるメディアデータの再生中か否か（音量調節対象がＨＤＭＩ（テレビジョン装置５）に設定されているか否か）が判断される。すなわち、図１２のステップＳ５における擬似ＤＭＣモードによりメディアデータの再生が実行されている場合（図１０参照）には、携帯情報処理装置１本体による再生が行われておらず、かつ、テレビジョン装置５によるメディアデータの再生中であるので、この場合には音量調節対象がテレビジョン装置５に設定されている。このため、ステップＳ２４に進み、ＨＤＭＩ再生音量調節処理が行われる。
【００６８】
ここで、図１４を参照して、ＨＤＭＩ再生音量調節処理について説明する。
【００６９】
ＨＤＭＩ再生音量調節処理では、まず、ステップＳ３１において、ＨＤＭＩ接続部１５を介してＣＰＵ２１からテレビジョン装置５に対して音量調節ボタン２０の押圧部２０ａまたは２０ｂの押圧回数に応じた音量制御命令が送信される。この際、音量制御命令は、ＨＤＭＩのＣＥＣ機能によってテレビジョン装置５に送信される。音量制御命令がテレビジョン装置５によって受信されると、音量制御命令に基づいてテレビジョン装置５の音量制御部５ａ（図１参照）のゲイン調節（ボリューム調節）が行われることにより、メディアデータの再生音量が調節される。
【００７０】
次に、ステップＳ３２において、ＣＰＵ２１により、テレビジョン装置５側の音量の変更（調節）が完了したか否かが判断される。適切に音量調節が行われた場合にはＨＤＭＩ再生音量調節処理が終了し、ステップＳ２４（図１３参照）に戻るとともに、音量調節処理も完了する。一方、機器間の互換性等に起因して音量調節が適切に行われなかった場合には、ステップＳ３３に進む。
【００７１】
ステップＳ３３では、ＣＰＵ２１により、赤外線通信部１８を用いてテレビジョン装置５のリモコンコードに対応した赤外線信号（音量調節ボタン２０の押圧部２０ａまたは２０ｂの押圧回数に応じた音量制御信号）が送信される。赤外線信号がテレビジョン装置５によって受信されると、赤外線信号に基づいてテレビジョン装置５の音量制御部５ａ（図１参照）のゲイン調節（ボリューム調節）が行われることにより、メディアデータの再生音量が調節される。そして、ステップＳ３４において、ＣＰＵ２１により、テレビジョン装置５側の音量の変更（調節）が完了したか否かが判断される。テレビジョン装置５の音量調節が行われた場合には、ＨＤＭＩ再生音量調節処理が終了し、ステップＳ２４（図１３参照）に戻るとともに、音量調節処理も完了する。一方、送信された赤外線信号がテレビジョン装置５によって適切に受信されなかった場合などには、ステップＳ３５に進む。
【００７２】
ステップＳ３５では、ＣＰＵ２１により、ＨＤＭＩ接続部１５からＨＤＭＩケーブル１００を介してテレビジョン装置５に送信されるメディアデータ（音声データ）自体の音量が変更される。すなわち、音量調節ボタン２０の押圧部２０ａまたは２０ｂの押圧回数に応じた音量調節量に対応した所定の係数を、ＨＤＭＩ接続部１５から出力されるメディアデータ（音声データ）自体に掛けて振幅（音量）制御を行うことにより、メディアデータ（音声データ）自体の音量が変更される。そして、ＣＰＵ２１によって音量調節されたメディアデータ（音声データ）がテレビジョン装置５に対して送信されることにより、テレビジョン装置５の再生音量の調節が行われる。このようにしてＨＤＭＩ再生音量調節処理が行われると、ステップＳ２４（図１３参照）に戻るとともに、音量調節処理が完了する。このようにして、ＨＤＭＩ再生音量調節処理が行われる。
【００７３】
図１３のステップＳ２３において、ＨＤＭＩ接続されたテレビジョン装置５によるメディアデータの再生中でないと判断された場合には、ステップＳ２５に進む。すなわち、ＤＭＲ（テレビジョン装置３）によりメディアデータの再生が実行されている場合、または、メディアデータの再生が行われていない場合には、ステップＳ２５に進む。
【００７４】
ステップＳ２５では、ＤＭＲ（テレビジョン装置３）によるメディアデータの再生中か否か（音量調節対象がＤＭＲ（テレビジョン装置３）に設定されているか否か）が判断される。すなわち、図１２のステップＳ７およびステップＳ１３におけるＤＭＣモードによりメディアデータの再生が実行されている場合（図９参照）には、携帯情報処理装置１本体による再生が行われておらず、かつ、テレビジョン装置３（ＤＭＲ）によるメディアデータの再生中であるので、この場合には、音量調節対象がテレビジョン装置３（ＤＭＲ）に設定されている。このため、ステップＳ２６に進み、ＤＭＲ再生音量調節処理が行われる。
【００７５】
ここで、図１５を参照して、ＤＭＲ再生音量調節処理について説明する。
【００７６】
ＤＭＲ再生音量調節処理では、まず、ステップＳ４１において、無線ＬＡＮ接続部１２を介してＣＰＵ２１からテレビジョン装置３（ＤＭＲ）に対して音量調節ボタン２０の押圧部２０ａまたは２０ｂの押圧回数に応じた音量制御命令が送信される。この際、音量制御命令は、ＤＬＮＡ規格に準拠したネットワーク通信（ＵＰｎＰ）によって送信される。音量制御命令がテレビジョン装置３（ＤＭＲ）によって受信されると、音量制御命令に基づいてテレビジョン装置３（ＤＭＲ）の音量制御部３ａ（図１参照）のゲイン調節（ボリューム調節）が行われることにより、メディアデータの再生音量が調節される。
【００７７】
次に、ステップＳ４２において、ＣＰＵ２１により、テレビジョン装置３側の音量の変更（調節）が完了したか否かが判断される。適切に音量調節が行われた場合にはＤＭＲ再生音量調節処理が終了し、ステップＳ２６（図１３参照）に戻るとともに、音量調節処理も完了する。一方、音量調節が適切に行われなかった場合には、ステップＳ４３に進む。
【００７８】
ステップＳ４３では、ＣＰＵ２１により、赤外線通信部１８を用いてテレビジョン装置３（ＤＭＲ）のリモコンコードに対応した赤外線信号（音量調節ボタン２０の押圧部２０ａまたは２０ｂの押圧回数に応じた音量制御信号）が送信される。赤外線信号がテレビジョン装置３によって受信されると、赤外線信号に基づいてテレビジョン装置３の音量制御部３ａ（図１参照）のゲイン調節（ボリューム調節）が行われることにより、メディアデータの再生音量が調節される。そして、ステップＳ４４において、ＣＰＵ２１により、テレビジョン装置３（ＤＭＲ）側の音量の変更（調節）が完了したか否かが判断される。テレビジョン装置３（ＤＭＲ）の音量調節が適切に行われた場合にはＤＭＲ再生音量調節処理が終了し、ステップＳ２６（図１３参照）に戻るとともに、音量調節処理も完了する。一方、送信された赤外線信号（音量制御信号）がテレビジョン装置３（ＤＭＲ）によって適切に受信されなかった場合などには、ステップＳ４５に進む。
【００７９】
ステップＳ４５では、テレビジョン装置３（ＤＭＲ）に送信されるメディアデータ（音声データ）自体の音量が変更される。すなわち、音量調節ボタン２０の押圧部２０ａまたは２０ｂの押圧回数に応じた音量調節量に対応した所定の係数を、メディアデータ（音声データ）自体に掛けて振幅（音量）制御を行うことにより、テレビジョン装置３（ＤＭＲ）の再生音量の調節が行われる。このようにしてＤＭＲ再生音量調節処理が行われると、ステップＳ２６（図１３参照）に戻るとともに、音量調節処理が完了する。このようにして、ＤＭＲ再生音量調節処理が行われる。
【００８０】
以上のようにして、ユーザにより音量調節ボタン２０が押下されるたびに音量調節処理が実行されることにより、メディアデータの再生先に応じた再生音量の調節が行われる。
【００８１】
次に、図８〜図１０、図１２および図１６を参照して、外部再生機器（テレビジョン装置５）がＨＤＭＩ接続された場合の処理について説明する。この処理は、ユーザによりテレビジョン装置５がＨＤＭＩケーブル１００を介してＨＤＭＩ接続部１５にＨＤＭＩ接続された場合の処理である。まず、ＣＰＵ２１によってテレビジョン装置５がＨＤＭＩ接続されたことが検出されることにより、処理が開始される。
【００８２】
図１６に示すように、テレビジョン装置５がＨＤＭＩ接続されたことが検出されると、ステップＳ５１において、携帯情報処理装置１本体によるメディアデータの再生中であるか否かが判断される。液晶表示部１０およびスピーカ１９（または、音声ケーブル接続部１３）によってメディアデータが再生されるＤＭＰモード（図８参照）で再生が行われている場合には、ステップＳ５２に進む。一方、メディアデータの再生が行われていない場合や、テレビジョン装置３（ＤＭＲ）にメディアデータを再生させるＤＭＣモード（図９参照）によってメディアデータの再生が行われている場合には、ステップＳ５３に進む。
【００８３】
ステップＳ５２では、ＤＭＰモードによるメディアデータの再生中にＨＤＭＩ接続されたことに基づき、擬似ＤＭＣモード（図１０参照）による再生に切り替えられる。この際、ＤＭＰモードから擬似ＤＭＣモードへの切り替えに伴い、ＣＰＵ２１により、音量調節ボタン２０による音量調節対象がメディアデータの再生先であるテレビジョン装置（ＴＶ装置）５（ＨＤＭＩ）に設定される。これにより、ＨＤＭＩ接続された場合の処理は終了するとともに、そのままメディアデータ再生処理（図１２参照）のステップＳ５（擬似ＤＭＣモードによる再生）の処理が行われる。
【００８４】
一方、ステップＳ５３では、携帯情報処理装置１の液晶表示部１０とテレビジョン装置５との両方に同じ画面表示を行うミラー表示に切り替えられる。この場合には、音量調節ボタン２０による音量調節対象は変更されない。したがって、メディアデータの再生が行われていない場合には、音量調節ボタン２０による音量調節対象が携帯情報処理装置１本体（音量制御部１７）に設定された状態が維持される。また、ＤＭＣモード（図９参照）によってメディアデータの再生が行われている場合には、音量調節ボタン２０による音量調節対象がメディアデータの再生先であるテレビジョン装置３（ＤＭＲ）に設定された状態が維持される。
【００８５】
以上のようにして、ＨＤＭＩ接続された場合の処理が行われる。
【００８６】
次に、図４、図８、図１０〜図１２および図１７を参照して、ＨＤＭＩ接続されていた外部再生機器（テレビジョン装置５）が外された場合の処理について説明する。この処理は、テレビジョン装置５を接続するＨＤＭＩケーブル１００がユーザによりＨＤＭＩ接続部１５から取り外された場合の処理である。まず、ＣＰＵ２１によってテレビジョン装置５のＨＤＭＩ接続が解除されたこと（ＨＤＭＩケーブル１００が外されたこと）が検出されることにより、処理が開始される。
【００８７】
図１７に示すように、テレビジョン装置５のＨＤＭＩ接続が解除されたことが検出されると、ステップＳ６１において、擬似ＤＭＣモード（図１０参照）によるメディアデータの再生中であるか否かが判断される。ＨＤＭＩ（テレビジョン装置５）をメディアデータの再生先とする擬似ＤＭＣモードで再生が行われている場合には、ステップＳ６２に進む。一方、メディアデータの再生が行われていない場合や、ミラー再生モード（図１１参照）によるメディアデータの再生が行われている場合などには、ステップＳ６３に進む。
【００８８】
ステップＳ６２では、擬似ＤＭＣモードによるメディアデータの再生中にＨＤＭＩ接続が解除されたことに基づき、ＤＭＰモード（図８参照）による再生に切り替えられる。すなわち、メディアデータの再生先がテレビジョン装置５（ＨＤＭＩ）から携帯情報処理装置１本体に切り替えられ、液晶表示部１０およびスピーカ１９（または音声ケーブル接続部１３、図４参照）によってメディアデータが再生される。また、擬似ＤＭＣモードからＤＭＰモードへの切り替えに伴い、音量調節ボタン２０による音量調節対象は、携帯情報処理装置１本体（音量制御部１７）に設定される。これにより、ＨＤＭＩ接続が外された場合の処理は終了するとともに、そのままメディアデータ再生処理（図１２参照）のステップＳ１４（ＤＭＰモードによる再生）の処理が行われる。
【００８９】
一方、ステップＳ６３では、ＨＤＭＩ接続部１５を介した信号（映像および音声信号など）の出力が停止される。この場合には、音量調節ボタン２０による音量調節対象は変更されない。したがって、メディアデータの再生が行われていない場合には、音量調節ボタン２０による音量調節対象が携帯情報処理装置１本体（音量制御部１７）に設定された状態が維持される。また、テレビジョン装置３（ＤＭＲ）にメディアデータを再生させるＤＭＣモードによってメディアデータの再生が行われている場合には、音量調節ボタン２０による音量調節対象がコンテンツ２１０（メディアデータ）の再生先であるテレビジョン装置３（ＤＭＲ）に設定された状態が維持される。
【００９０】
以上のようにして、ＨＤＭＩ接続が外された場合の処理が行われる。
【００９１】
本実施形態では、上記のように、内蔵のスピーカ１９（または音声ケーブル接続部１３）によるメディアデータの再生が行われておらず、かつ、外部のテレビジョン装置３（ＤＭＲ）またはテレビジョン装置５（ＨＤＭＩ）による再生が行われている場合（ＤＭＣモードまたは擬似ＤＭＣモードの場合）に、音量調節対象を再生先のテレビジョン装置３またはテレビジョン装置５の再生音量に切り替えるとともに、ユーザによる音量調節ボタン２０の調節操作に基づいて、本体（音量制御部１７）の音量調節は行わずに再生先のテレビジョン装置３またはテレビジョン装置５に再生されるメディアデータの再生音量を制御することによって、ＤＭＣモードまたは擬似ＤＭＣモードにより再生を行う場合に、ＣＰＵ２１によって音量調節対象が再生先のテレビジョン装置３（ＤＭＲ）またはテレビジョン装置５（ＨＤＭＩ）に自動で切り替わるので、テレビジョン装置３またはテレビジョン装置５の音量調節時にユーザによる音量調節先を選択する操作が不要となる。これにより、外部のテレビジョン装置３またはテレビジョン装置５を用いてメディアデータを再生する際の音量を調節する操作を簡略化することができる。
【００９２】
さらに、本実施形態では、上記のように、内蔵のスピーカ１９（音声ケーブル接続部１３）と、外部のテレビジョン装置３（ＤＭＲ）と、外部のテレビジョン装置５（ＨＤＭＩ）とに再生されるメディアデータの音量調節時に共通に用いられる音量調節ボタン２０を設けることによって、音量調節先が内蔵のスピーカ１９（または音声ケーブル接続部１３）から外部のテレビジョン装置３（ＤＭＲ）またはテレビジョン装置５（ＨＤＭＩ）に自動的に切り替わった際にも、同じ（共通の）音量調節ボタン２０を用いて内蔵のスピーカ１９（音声ケーブル接続部１３）の場合と同じ音量調節操作で外部のテレビジョン装置３またはテレビジョン装置５の音量調節を行うことができるので、これによっても、外部のテレビジョン装置３およびテレビジョン装置５の音量調節時の操作を簡略化することができる。
【００９３】
また、本実施形態では、上記のように、少なくとも、ユーザによりメディアデータの再生先を外部のテレビジョン装置３（ＤＭＲ）に特定する操作が行われた場合（Ｐｌａｙ  ｔｏ  ＤＭＲ）、ユーザによりメディアデータの再生先をテレビジョン装置５（ＨＤＭＩ）に特定する操作が行われた場合（Ｐｌａｙ  ｔｏ  ＨＤＭＩ）、または、ＤＭＰモードでの再生時にユーザによりＨＤＭＩ接続された場合に、このユーザの操作に基づいて、音量調節対象を再生先の外部のテレビジョン装置３（ＤＭＲ）またはテレビジョン装置５（ＨＤＭＩ）の再生音量に切り替えるように制御する。このように構成することによって、ユーザは、少なくともテレビジョン装置３またはテレビジョン装置５をメディアデータの再生先として特定することにより、容易に、音量調節対象もテレビジョン装置３またはテレビジョン装置５の再生音量に自動的に切り替えることができる。
【００９４】
また、本実施形態では、上記のように、メディアデータが内蔵のスピーカ１９（音声ケーブル接続部１３）により再生されている場合（ＤＭＰモードまたはミラー再生モードの場合）には、音量調節対象を本体（音量制御部１７）に切り替えることによって、音量調節対象が外部のテレビジョン装置３（ＤＭＲ）またはテレビジョン装置５（ＨＤＭＩ）に設定されている場合にも、スピーカ１９（音声ケーブル接続部１３）によりメディアデータの再生を行う際には音量調節対象が自動的に本体（音量制御部１７）に切り替わるので、ユーザは、音量調節先の切り替え操作を行うことなく、再生先である携帯情報処理装置１（音量制御部１７）自体の音量調節を音量調節ボタン２０により行うことができる。
【００９５】
また、本実施形態では、上記のように、ＤＭＰモードによる再生中にＨＤＭＩ接続部１５にユーザによりテレビジョン装置５（ＨＤＭＩ）の接続操作が行われた場合に、擬似ＤＭＣモードに切り替えるとともに、音量調節対象をテレビジョン装置５（ＨＤＭＩ）の再生音量に切り替えることによって、ＤＭＰモードによるメディアデータの再生中にユーザがテレビジョン装置５（ＨＤＭＩ）に再生先を切り替えようと考えた場合、ユーザは、テレビジョン装置５（ＨＤＭＩ）の接続操作（ＨＤＭＩ接続）を行うだけで、ＤＭＰモード（本体再生）によるメディアデータの再生からテレビジョン装置５（ＨＤＭＩ）による再生に切り替えることができるとともに、音量調節の対象も再生先（テレビジョン装置５）に応じて切り替えることができる。これにより、ユーザの意図を反映した再生先の切り替えおよび音量調節対象の切り替えを行うことができるので、ユーザにとっての利便性を向上させることができる。
【００９６】
また、本実施形態では、上記のように、外部再生機器によるメディアデータの再生（ＤＭＣモードまたは擬似ＤＭＣモードによる再生）が終了した場合には、音量調節の対象を再生を行っていたテレビジョン装置３（ＤＭＲ）またはテレビジョン装置５（ＨＤＭＩ）の再生音量から本体（音量制御部１７）の再生音量に切り替えることによって、ＤＭＣモードまたは擬似ＤＭＣモードによるメディアデータの再生中には、音量調節対象が外部のテレビジョン装置３（ＤＭＲ）またはテレビジョン装置５（ＨＤＭＩ）に自動で設定されるとともに、ＤＭＣモードまたは擬似ＤＭＣモードによるメディアデータの再生が終了した場合には、音量調節対象が自動で本体（音量制御部１７）に切り替えられるので、ユーザは、ＤＭＣモードまたは擬似ＤＭＣモードによるメディアデータの再生中には再生先のテレビジョン装置３（ＤＭＲ）またはテレビジョン装置５（ＨＤＭＩ）の音量調節を行うことができるとともに、再生終了後にも切り替え操作を必要とすることなく、そのまま同じ音量調節ボタン２０を用いて操作対象である携帯情報処理装置１のスピーカ１９（音声ケーブル接続部１３）の音量調節を行うことができる。
【００９７】
また、本実施形態では、上記のように、音量調節ボタン２０を筐体１ａの所定箇所に設置された音量調節専用の機械的な操作部とすることによって、筐体１ａに設けられた音量調節専用の機械的な音量調節ボタン２０を、内蔵のスピーカ１９（音声ケーブル接続部１３）と、外部のテレビジョン装置３（ＤＭＲ）と、テレビジョン装置５（ＨＤＭＩ）とに共通の音量調節スイッチとして機能させることができる。したがって、ユーザは、携帯情報処理装置１を単独で用いるとき（ＤＭＰモードなど）には本体の音量調節スイッチとして使用することができるとともに、ＤＭＣモードおよび擬似ＤＭＣモードによりメディアデータを再生させている場合にも、携帯情報処理装置１（ＤＭＣ）と外部のテレビジョン装置３（ＤＭＲ）およびテレビジョン装置５（ＨＤＭＩ）とを一体的な機器を操作する感覚で、専用の音量調節ボタン２０による音量調節操作を行うことができる。また、音量調節ボタン２０を音量調節専用の機械的な操作部とすることによって、複数の機能の操作が可能な汎用の操作部の場合と異なり、音量調節を行う際に機能の選択操作などを行う必要がない。これらにより、ユーザにとっての利便性をより向上させることができる。
【００９８】
また、本実施形態では、上記のように、２つの外部再生機器（テレビジョン装置３（ＤＭＲ）およびテレビジョン装置５（ＨＤＭＩ））が接続されている場合に、少なくとも、ユーザによるメディアデータの再生先を１つの外部再生機器に特定する操作（Ｐｌａｙ  ｔｏ  ＤＭＲ（またはＨＤＭＩ））に基づいて、メディアデータの再生先として特定された１つの外部再生機器（ＤＭＲまたはＨＤＭＩ）の再生音量を音量調節対象とするように制御する。このように構成することによって、ユーザは、テレビジョン装置３（ＤＭＲ）およびテレビジョン装置５（ＨＤＭＩ）のいずれにメディアデータを再生させるかを選択するだけで、共通の音量調節ボタン２０を用いた音量調節操作を、選択されたテレビジョン装置３（ＤＭＲ）またはテレビジョン装置５（ＨＤＭＩ）に対して行うことができる。
【００９９】
また、本実施形態では、上記のように、テレビジョン装置３（ＤＭＲ）またはテレビジョン装置５（ＨＤＭＩ）の再生音量を音量調節対象とする場合に、テレビジョン装置３（ＤＭＲ）の音量制御部３ａまたはテレビジョン装置５（ＨＤＭＩ）の音量制御部５ａのゲイン調節を行うことにより、テレビジョン装置３またはテレビジョン装置５によるメディアデータの再生音量を制御することによって、音量調節ボタン２０を用いてテレビジョン装置３またはテレビジョン装置５によるメディアデータの再生音量を調節する場合に、テレビジョン装置３側の音量制御部３ａまたはテレビジョン装置５側の音量制御部５ａのゲイン調節を行うことができるので、再生されるメディアデータの音質を損ねることなく正確に音量調節を行うことができる。
【０１００】
また、本実施形態では、上記のように、テレビジョン装置３またはテレビジョン装置５に対してゲイン調節を行うための音量制御命令（制御信号）を送信することにより、テレビジョン装置３の音量制御部３ａまたはテレビジョン装置５の音量制御部５ａのゲイン調節を行うように構成することによって、ユーザによる音量調節ボタン２０の調節操作に基づいて音量制御命令（制御信号）を送信することにより、容易に、テレビジョン装置３またはテレビジョン装置５によるメディアデータの再生音量を調節することができる。
【０１０１】
また、本実施形態では、上記のように、ゲイン調節を行うための音量制御命令を、テレビジョン装置３（ＤＬＮＡ対応機器）に対するＤＬＮＡ規格に準拠したネットワーク通信（ＵＰｎＰ）による制御信号と、ＨＤＭＩ接続されたテレビジョン装置５に対するＣＥＣ機能を用いた制御信号とによりそれぞれ送信するように構成することによって、容易に、ゲイン調節を行うための制御命令をテレビジョン装置３またはテレビジョン装置５に対して送信することができる。
【０１０２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０３】
たとえば、上記実施形態では、携帯情報処理装置１とＤＬＮＡ対応のテレビジョン装置３とをＤＬＮＡ規格に準拠した無線ネットワークにより接続するとともに、携帯情報処理装置１とＤＬＮＡ非対応のテレビジョン装置５とをＨＤＭＩ接続する例について説明したが、本発明はこれに限られない。本発明は、メディアデータを再生可能な外部再生機器と接続可能であれば、どのような接続方式にも適用可能である。また、携帯情報処理装置１とＤＬＮＡ非対応のテレビジョン装置５とをホームネットワークを介さずに無線によって接続してもよい。
【０１０４】
また、上記実施形態では、携帯情報処理装置１とＤＬＮＡ対応機器とによりホームネットワークを構成した例を説明したが、本発明はこれに限られない。本発明では、ホームネットワークを構成することなく、外部再生機器と携帯情報処理装置とを個別に接続してもよい。
【０１０５】
また、上記実施形態では、映像および音声を含むメディアデータの再生を行う場合に、ＤＭＰモード、ＤＭＣモード、擬似ＤＭＣモードおよびミラー再生モードの４つの再生モードで再生を行うとともに、各モードにおけるメディアデータの再生先に応じて音量調節の対象を変更する例について説明したが、本発明はこれに限られない。本発明では、再生モードを設けることなく、単にメディアデータを外部再生機器に再生させる際に、音量調節の対象を再生先の外部再生機器に変更するように構成してもよい。また、メディアデータを外部再生機器により再生させる際に、本体側でコンテンツリスト画面２００を表示する必要もない。
【０１０６】
また、上記実施形態では、外部再生機器としてテレビジョン装置３およびテレビジョン装置５を携帯情報処理装置１に接続した例について説明したが、本発明はこれに限られない。本発明では、テレビジョン装置以外の外部再生機器と接続してもよい。たとえば、音声のみのメディアデータ（たとえば、音楽データ）の再生のみを行うオーディオ機器などの外部再生機器と接続してもよい。外部再生機器は、メディアデータ（少なくとも音声データ）を再生可能であればどのようなものでもよい。
【０１０７】
また、上記実施形態では、コンテンツリスト画面２００上で再生先選択部（Ｐｌａｙ  ｔｏ）２５０を選択して、再生先選択領域２５１から再生先（ＤＭＲまたはＨＤＭＩ）を指定するか、コンテンツ２１０をダブルタップすることにより本体再生を選択するように構成した例について説明したが、本発明はこれに限られない。本発明では、上記以外のどのような選択方法によってメディアデータの再生先を選択してもよい。
【０１０８】
また、上記実施形態では、ＨＤＭＩ接続時およびＨＤＭＩ接続の解除時にも、所定の場合に再生音量の調節対象を切り替えるように構成した例を示したが、本発明はこれに限られない。外部再生機器との接続時および接続の解除時に音量の調節対象を切り替えなくともよい。
【０１０９】
また、上記実施形態では、２つの外部再生機器（テレビジョン装置３およびテレビジョン装置５）を携帯情報処理装置１に接続した例を示したが、本発明はこれに限られない。本発明では、１つの外部再生機器を携帯情報処理装置と接続するだけでもよいし、３つ以上の外部再生機器を携帯情報処理装置と接続してもよい。
【０１１０】
また、上記実施形態では、本発明の音量調節操作部の一例として、音量調節専用の機械的な音量調節ボタン２０を携帯情報処理装置１の筐体１ａに設けた例を示したが、本発明はこれに限られない。本発明では、たとえばコンテンツリスト画面２００上に共通の音量調節操作部を表示させ、ユーザのタッチ操作によって音量調節操作を受け付けるように構成してもよい。
【０１１１】
また、上記実施形態では、ユーザによる再生先選択選択領域２５１から再生先（ＤＭＲまたはＨＤＭＩ）を指定する操作、または、ＤＭＰモードによる再生中におけるユーザによるＨＤＭＩ接続操作に基づいて、音量調節ボタン２０による音量調節対象を設定するように構成した例を示したが、本発明はこれに限られない。たとえば、外部再生機器による再生中（ＤＭＣモードまたは擬似ＤＭＣモード）の状態で、携帯情報処理装置１の音声ケーブル接続部１３にイヤホンなどの接続操作がユーザにより行われた場合には、外部再生機器側の音量をミュート（消音）するとともに、音量調節ボタン２０による音量調節対象を音声ケーブル接続部１３（音量制御部１７）側に設定するように構成してもよい。
【０１１２】
また、上記実施形態では、本発明の外部再生機器接続部の一例として、無線ＬＡＮ接続部１２およびＨＤＭＩ接続部１５を設けた例を示したが、本発明はこれに限られない。たとえば、本発明の外部再生機器接続部として、ＵＳＢ接続部１６に外部再生機器を接続してもよい。本発明の外部再生機器接続部は、メディアデータを再生可能な外部再生機器と接続することが可能であれば、どのような接続部でもよい。
【０１１３】
また、上記実施形態では、音量調節ボタン２０を、２つの押圧部２０ａおよび２０ｂからなるシーソーボタン形式の操作部により構成した例を示したが、本発明はこれに限られない。本発明では、音量調節ボタン２０は、シーソーボタン形式以外の回転式の操作部などでもよい。
【０１１４】
また、上記実施形態では、説明の便宜上、制御部の処理動作をスタート時はイベント駆動的に記載し、スタート以降の処理動作はフロー駆動的に記載したフローチャートを用いて説明したが、本発明はこれに限らず、制御部の処理動作を完全なイベント駆動型で行ってもよいし、完全なフロー駆動型で行ってもよいし、並行処理的に行ってもよい。
【０１１５】
また、上記実施形態では、ネットワーク接続された対応機器間でメディアデータを共有することが可能なＤＬＮＡ規格に準拠した無線ネットワーク通信を行うことにより、ＤＬＮＡ対応の外部再生機器（テレビジョン装置３）に対して制御信号（音量制御命令）を送信した例を示したが、本発明はこれに限られない。本発明では、ＤＬＮＡ規格に準拠した無線ネットワーク通信以外の有線または無線のネットワーク通信により、外部再生機器に対する制御信号（音量制御命令）を送信してもよい。また、ネットワーク通信以外の他の通信により、制御信号（音量制御命令）を送信してもよい。
【０１１６】
また、上記実施形態では、２つの機器間を、音声データ、映像データおよび制御信号を伝送可能なＨＤＭＩケーブルで接続して機器間の連携動作を行うことが可能なＨＤＭＩ接続により接続された外部再生機器（テレビジョン装置５）に対して制御信号（音量制御命令）を送信した例を示したが、本発明はこれに限られない。本発明では、２つの機器間を、音声データ、映像データおよび制御信号を伝送可能な、ＨＤＭＩ規格以外の他のインターフェース規格に準拠したケーブルで外部再生機器と接続することにより、外部再生機器に対する制御信号（音量制御命令）を送信してもよい。
【符号の説明】
【０１１７】
１  携帯情報処理装置
１ａ  筐体
３  テレビジョン装置（外部再生機器）
３ａ  音量制御部
５  テレビジョン装置（外部再生機器）
５ａ  音量制御部
１２  無線ＬＡＮ接続部（外部再生機器接続部）
１３  音声ケーブル接続部（内蔵再生部）
１５  ＨＤＭＩ接続部（外部再生機器接続部）
１９  スピーカ（内蔵再生部）
２０  音量調節ボタン（音量調節操作部）
２１  ＣＰＵ（制御部）
【図１】
0005947932.tif 000002
【図２】
0005947932.tif 000003
【図３】
0005947932.tif 000004
【図４】
0005947932.tif 000005
【図５】
0005947932.tif 000006
【図６】
0005947932.tif 000007
【図７】
0005947932.tif 000008
【図８】
0005947932.tif 000009
【図９】
0005947932.tif 000010
【図１０】
0005947932.tif 000011
【図１１】
0005947932.tif 000012
【図１２】
0005947932.tif 000013
【図１３】
0005947932.tif 000014
【図１４】
0005947932.tif 000015
【図１５】
0005947932.tif 000016
【図１６】
0005947932.tif 000017
【図１７】
0005947932.tif 000018